(57)【要約】【課題】裁断時等に捩れや湾曲が発生することを防止できる見出しカードを提供すること。【解決手段】カルテ等が収納されるフォルダーに装着され、カルテ等の検索に必要な文字が印刷されてなる見出しカードであって、略矩形で縦長の基材の一方の表面に、長さ方向に沿って複数段の文字表示領域を有し、少なくとも１つの各文字表示領域には、文字表示領域の幅方向両端部の少なくとも一方にカルテ等の検索に必要な文字が印刷され、また文字表示領域に印字された文字の情報に対応した着色部が印刷されてなり、かつ基材の両面に、樹脂フィルムが積層されているを特徴とする。【選択図】図２
2012040766.tif 000002
【特許請求の範囲】
【請求項１】
カルテ等が収納されるフォルダーに装着され、カルテ等の検索に必要な文字が印刷されてなる見出しカードであって、
略矩形で縦長の基材の一方の表面に、長さ方向に沿って複数段の文字表示領域を有し、
少なくとも１つの各文字表示領域には、前記文字表示領域の幅方向両端部の少なくとも一方にカルテ等の検索に必要な文字が印刷され、また前記文字表示領域に印字された文字の情報に対応した着色部が印刷されてなり、
かつ前記基材の両面に、樹脂フィルムが積層されていることを特徴とする見出しカード。
【請求項２】
前記基材の一方の表面に積層される前記樹脂フィルムと、前記基材の他方の表面に積層される前記樹脂フィルムとは、同一であることを特徴とする請求項１に記載の見出しカード。
【請求項３】
前記文字表示領域の幅方向両端部にカルテ等の検索に必要な文字が印刷されていることを特徴とする請求項１または２に記載の見出しカード。
【発明の詳細な説明】
【技術分野】
【０００１】
本発明は、見出しカードに係り、特に、病院等の医療機関における患者のカルテを保管するフォルダー、バインダー等に利用することに適した見出しカードに関する。
【背景技術】
【０００２】
医療機関においては、患者毎に準備されたフォルダーを利用してカルテを保管するシステムが採用されている。このシステムによるフォルダーは、通常は、受付窓口の近傍に設置された収納棚に立て掛けた姿勢で収納されている。カルテを必要とするときの検索を容易なものとするために、フォルダーに見出しカードを収納できる透明なポケットを形成しておき、このポケット内に収納された見出しカードの表示内容を外部より認識して特定のフォルダーを取り出しできるようになっている。
【０００３】
このようなシステムに利用される見出しカードは、たとえば略矩形縦長の基材の一方の表面に、長さ方向に沿って複数段の文字表示領域を有している。各文字表示領域には、カルテ管理方法に応じて、たとえばカルテ番号（文字）が印字され、番号毎に予め特定された背景色（着色部）が付されている（特許文献１参照）。このような見出しカードを、それぞれのフォルダーのポケットに収納し、そのフォルダーを番号順に整列収納することで、着色部によるカラーブロックが形成され視認性が向上し、収納棚に収納された大量のカルテの中から、取り出したいカルテ番号のフォルダーを瞬時に見つけることができ、カルテ管理が容易になる（カラーデジット方式）。
【０００４】
たとえば、５桁のカルテ番号で管理する場合に、特定の範囲のカルテ番号を有する見出しカードを製造することとする。たとえばＡ３の紙（母基材）の表面に、カルテ番号「１１１１１」が２０箇所印刷された母基材を１枚準備し、カルテ番号「１１１１２」が２０箇所印刷された母基材を1枚準備する。同様にして、カルテ番号「１１２１０」までの母基材を準備（合計１００枚）し、これら１００枚を重ねて裁断すると、カルテ番号「１１１１１」〜「１１２１０」までの見出しカードセットを２０組製造することができる。
【０００５】
ところで、母基材の表面に、見出しカードとなる文字や着色部を印刷した後、これらの耐久性等をさらに向上させるために、文字や着色部の表面に保護フィルムを積層することがある。しかしながら、母基材の片面にのみ保護フィルムが積層されている場合には、上記のように複数枚を重ねて裁断等する時に、見出しカードの基材に捩れや湾曲が発生しやすく、そのような基材をまとめるために、多くの手間を必要としていた。
【先行技術文献】
【特許文献】
【０００６】
【特許文献１】特開２００７−２４５５６３号公報
【発明の概要】
【発明が解決しようとする課題】
【０００７】
本発明は、このような実状に鑑みてなされ、その目的は、裁断時等に捩れや湾曲が発生することを防止できる見出しカードを提供することである。
【課題を解決するための手段】
【０００８】
上記目的を達成するために、本発明に係る見出しカードは、
カルテ等が収納されるフォルダーに装着され、カルテ等の検索に必要な文字が印刷されてなる見出しカードであって、
略矩形で縦長の基材の一方の表面に、長さ方向に沿って複数段の文字表示領域を有し、
少なくとも１つの各文字表示領域には、前記文字表示領域の幅方向両端部の少なくとも一方にカルテ等の検索に必要な文字が印刷され、また前記文字表示領域に印字された文字の情報に対応した着色部が印刷されてなり、
かつ前記基材の両面に、樹脂フィルムが積層されていることを特徴とする。
【０００９】
好ましくは、前記基材の一方の表面に積層される前記樹脂フィルムと、前記基材の他方の表面に積層される前記樹脂フィルムとは、同一である。
【００１０】
好ましくは、前記文字表示領域の幅方向両端部にカルテ等の検索に必要な文字が印刷されている。
【図面の簡単な説明】
【００１１】
【図１】図１は、本発明の一実施形態に係る見出しカードの平面図である。
【図２】図２は、図１のII−II断面図である。
【図３】図３は、図１に示す見出しカードの使用態様を示す斜視図である。
【図４】図４は、図１に示す見出しカードの製造工程を示す説明図である。
【発明を実施するための形態】
【００１２】
図１および図２に示すように、本発明の一実施形態に係る見出しカード１０は、略矩形で縦長の基材１１を有している。
【００１３】
基材１１の長さおよび幅は特に限定はされず、装着されるべきフォルダー２０（図３に示す）により様々である。フォルダーの一辺に突出して設けられたポケット２１に見出しカード１０を挿入して使用する場合には、ポケット２１の全長と基材１１の長さはほぼ等しい。また見出しカード１０は、長さ方向に沿って二つ折にしてポケットに挿入されるため、二つ折した際の幅が、ポケットの幅と等しいか、これよりも小さければよい。すなわち、基材１１の長さや幅は、装着されるべきフォルダー２０の形状や、カード１０の文字表示領域のデザインなどにより適宜に設定すればよい。
【００１４】
基材１１の一方の表面には、長さ方向に沿って複数段の文字表示領域Ｉが形成されている。図１では、５段の文字表示領域を示したが、４段以下であってもよく、また６段以上であってもよい。また、各領域の間の仕切り線はあっても無くてもよい。文字表示領域の段数は、見出しカード１０に記載するべき情報量に応じて適宜に設定すればよい。複数ある文字表示領域の高さは同一であってもよく、異なっていてもよい。たとえば、数字を表示する領域と患者の姓名を表示する領域を設けた場合には、それぞれの文字表示領域の高さを異なるものとしてもよい。
【００１５】
文字表示領域Ｉには、その幅方向両端部の一方に、文字１４が印刷されても良いが、利便性の観点から、図１に示すように、両端部に文字を印刷することが好ましい。すなわち、検索したフォルダーを引き出す際に、フォルダーの右からも左からも見出しカードの文字を確認できるようにすることが好ましい。
【００１６】
文字表示領域Ｉに表示される文字１４は、数字であっても、カナ、アルファベット、さらに漢字であってもよい。ただし、漢字の場合には、その種類が多種にわたるため、後述する着色部を設けることはない。カルテ番号や生年月日でカルテ検索を行う場合には、数字が表示され、氏名で検索する場合には、カナ、アルファベットが表示される。
【００１７】
また、該文字表示領域Ｉには、着色部１５が印刷されている。着色部１５の色彩や着色パターンは、文字表示領域端部に印字されている文字１４の情報に対応して予め決められている。文字表示領域端部に印字されている文字、たとえば数字の０〜９のそれぞれに対応する色彩を予め特定しておき、印字される文字に対応する色彩の着色部１５を設ける。番号順に整列収納することで、着色部によるカラーブロックが形成され視認性が向上し、収納棚に収納された多数のフォルダーの中から、探しているカード番号のフォルダーを容易に特定できる。なお、着色部１５は、色彩や着色パターンによって、互いに区別できるように形成すればよい。たとえば数字の１には黒、２には茶、３には赤を対応させるようにしておけばよい。また、アルファベットやカナのように文字が多種にわたる場合には、色彩と着色パターンを組み合わせることで多種の着色部を形成でき、文字毎に着色部を特定できる。たとえば、アルファベットのＡには赤、Ｂには赤と白の横縞、Ｃには赤と黒の横縞を対応するように予め特定しておく。
【００１８】
また、前述したように、文字表示領域Ｉには、その幅方向両端部に文字が印刷されていることが好ましいが、使用態様によっては片方のみに文字が印字されていてもよい。ファイルの収納状況によっては、文字の確認を片側のみから行うことがあり、製造時に最低限の印刷コストで済む。
【００１９】
本実施形態に係る見出しカード１０においては、上記文字１４および着色部１５は、インクジェットプリンターまたはカラーレーザープリンターを用いて印刷されてなることが特に好ましい。従来の見出しカードにおいては、グラビア印刷などの大量印刷法が採用されているため、多品種、少量生産には対応できなかったが、インクジェットプリンターまたはカラーレーザープリンターの使用により、多品種、少量生産への対応が可能になる。多品種化により、たとえば生年月日や氏名によるカルテ管理を可能にし、カルテフォルダー使用者の選択枝が広がる。またカルテフォルダー使用者独自のデザインによる見出しカードも提供できるようになる。さらに、少量生産に対応できるため、使用者の要望に応じて必要量のカードを適時に供給でき、使用者および提供者の双方において在庫の低減が図られる。このため、たとえば４桁以上の文字が印刷された見出しカード１０でも容易に生成できる。従来の見出しカード（たとえば３桁の数字のみが予め印刷されていたもの）では１０００以上の番号を付与するためには別途シール貼付により４桁とする作業をおこなっていたが、このような作業は不要となり、さらに在庫管理の煩雑さも大幅に低減される。
【００２０】
文字１４および着色部１５をインクジェットプリンターまたはカラーレーザープリンターにより形成する場合には、基材１１は、インクジェットプリンターまたはカラーレーザープリンターによる印字が可能な材質であれば、特に限定はされないが、耐水性、耐光性、耐擦過性に優れたインクジェットプリンターまたはカラーレーザープリンター用合成紙が好ましく用いられる。たとえば、インクジェットプリンター用合成紙として、リンテック社製ＬＮ６６１０、ＦＪ１４１０−７５、ＦＪ２４１０−５０、ａ−ｏｎｅ社製インクジェットプリンタラベル２８７９５等が好ましく用いられる。このような基材を用いることで、強度、耐屈曲性、耐水性、耐光性、耐擦過性を有する見出しカード１０が得られるため、見出しカード１０の視認性が損なわれることがなく、カラーデジット方式の利便性を長期間にわたり確保できる。
【００２１】
基材１１の一方の表面に文字１４および着色部１５を印刷した後、これらの耐久性等をさらに向上させるために、基材１１の一方の表面に、さらに保護樹脂フィルム１２が積層されている（図２に示す）。保護樹脂フィルム１２は、少なくとも文字および／または着色部の印刷領域（文字表示領域）を覆うように設けられることが好ましく、特に好ましくは、基材１１の一方の表面の全面に設けられる。保護樹脂フィルム１２は、この種の用途に広く使用されている樹脂、たとえば、ポリプロピレンフィルム、ポリエステルフィルム等により形成できる（ラミネート加工）。
【００２２】
また、基材１１の他方の表面には、捩れ防止樹脂フィルム１３が積層されている。すなわち、基材１１の両面に、樹脂フィルム（保護樹脂フィルム１２＋捩れ防止樹脂フィルム１３）が積層されている。捩れ防止樹脂フィルム１３は、基材１１の一方の表面において設けられた保護樹脂フィルム１２の位置に対応するように、基材１１の他方の表面に設けられることが好ましい。たとえば、基材１１の一方の表面の全面に保護樹脂フィルム１２を設ける場合には、基材１１の他方の表面の全面に捩れ防止樹脂フィルム１３を設けることが好ましい。捩れ防止樹脂フィルム１３は、この種の用途に広く使用されている樹脂、たとえば、ポリプロピレンフィルム、ポリエステルフィルム等により形成できる（ラミネート加工）。基材１１の他方の表面に積層する捩れ防止樹脂フィルム１３は、基材１１の一方の表面に積層する保護樹脂フィルム１２と異なる材質のフィルムを用いても良いが、同一のフィルムであることが好ましい。
【００２３】
上述した見出しカード１０は、以下のようにして製造される。図４に示すように、たとえばインクジェットプリンター用合成紙（母基材）１０’の一方の表面に、文字１４および着色部１５を有する見出しカード予定部１０ａ〜１０ｅを印刷する。なお、母基材１０’のサイズは特に限定されず、母基材１０’に印刷される見出しカード予定部１０ａ〜１０ｅのサイズおよび数も特に限定されない。図４では、説明を容易にするために、一枚の母基材１０’に、５つの見出しカード予定部１０ａ〜１０ｅが印刷されている場合を説明する。
【００２４】
次に、母基材１０’の一方の表面に、保護樹脂フィルム１２を積層する。さらに、基材１１の他方の表面にも、捩れ防止樹脂フィルム１３を積層する。なお、保護樹脂フィルム１２および捩れ防止樹脂フィルム１３の積層は同時に行ってもよい。このように、保護樹脂フィルム１２および捩れ防止樹脂フィルム１３が積層された母基材１０’を複数枚準備し、それぞれの見出しカード予定部１０ａ〜１０ｅの外周位置が対応するように積み重ね（たとえば１００枚）、たとえば図４に示す点線に沿って、裁断機等を用いて裁断をする。このようにして、図１に示す見出しカード１０が得られる。
【００２５】
なお、基材１１の裏面（捩れ防止樹脂フィルム１３側）には、捩れ防止樹脂フィルム１３の上に、さらに粘着剤層が設けられ、粘着剤層の上に、さらに剥離紙が積層されても良い。粘着剤としては、アクリル系、ポリエステル系、ゴム系などの公知の粘着剤が特に制限されることなく用いられる。見出しカード１０の使用時に、粘着剤層を保護していた剥離紙が剥がされる。剥離紙としても、公知の剥離紙が特に制限されることなく使用できる。このような粘着剤層を有する見出しカードであれば、各種のフォルダーに直接貼付できるため、ポケットが形成されていない市販の二つ折フォルダーや紙製フォルダーにも使用でき、カルテの管理コストを低減できる。
【００２６】
見出しカード１０は、このように粘着剤層を有する場合には、フォルダーの一辺に粘着剤層を介して直接貼付されていてもよく、また図３に示すように、フォルダー２０の外縁部に突出して形成された透明ポケット２１内に挿入されていてもよい。
【００２７】
本実施形態では、基材１１の両面に樹脂フィルム（保護樹脂フィルム１２＋捩れ防止樹脂フィルム１３）を積層してあるため、図４に示すように母基材１０’を複数枚準備し、裁断機等を用いて裁断をする際に、見出しカード１０の基材１１に捩れや湾曲が発生しにくくなる。本実施形態の見出しカード１０は、裁断後にも平坦な形状をしているため、複数の見出しカード１０がばらつくことなく、まとめやすい。さらに、見出しカード１０の基材１１に捩れや湾曲が発生しづらいことから、従来よりも多数の母基材１０’を重ね合わせ、一度に裁断をすることも可能となる。したがって、製造効率が高まり、見出しカード１０の製造コストを低減することができる。
【符号の説明】
【００２８】
１０…見出しカード
１１…基材
１２…保護樹脂フィルム
１３…捩れ防止樹脂フィルム
Ｉ…文字表示領域
１４…文字
１５…着色部
２０…フォルダー
【図１】
2012040766.tif 000003
【図２】
2012040766.tif 000004
【図３】
2012040766.tif 000005
【図４】
2012040766.tif 000006